(57)【要約】  本発明は、符号化された1次情報信号のチャネル・データ・ストリームに2次情報信号を埋め込む方法及び相当する装置に関する。2次情報信号の記憶の位置、又はそのコンテンツ自体を、認可されていない個人又は装置が取り出すことをより困難にするために、本発明によって、装置を提案している。この装置は、上記1次情報信号をチャネル・データ・ストリーム内に符号化する符号器（１）と、上記チャネル・データ・ストリームのDCコンテンツを制御する制御装置（３）と、DC制御内の自由度を用いることによって上記チャネル・データ・ストリーム内に上記２次情報信号を埋め込む2次情報信号埋め込み装置（２）と、上記チャネル・データ・ストリームのいくつかの位置でDC制御の非最適な選択、任意の選択、又はランダムな選択を行うことによってDC制御を適合させる適合装置（４）とを備える。
2007519150.tif 000002
【特許請求の範囲】
【請求項１】
符号化された1次情報信号のチャネル・データ・ストリーム内に2次情報信号を埋め込む装置であって、
前記1次情報信号をチャネル・データ・ストリーム内に符号化する符号器と、
前記チャネル・データ・ストリームのDCコンテンツを制御する制御装置と、
DC制御内の自由度を用いることによって前記チャネル・データ・ストリーム内に前記２次情報信号を埋め込む2次情報信号埋め込み装置と、
前記チャネル・データ・ストリームのいくつかの位置で前記DC制御の非最適な選択、任意の選択、又はランダムな選択を行うことによって前記DC制御を適合させる適合装置とを備えることを特徴とする装置。
【請求項２】
請求項１記載の装置であって、前記適合装置は前記DC制御内にランダムなエレメントを加えるよう動作することを特徴とする装置。
【請求項３】
請求項２記載の装置であって、前記適合装置は、前記チャネル・データ・ストリームのいくつかのランダムな位置又は固定位置で前記DC制御の非最適選択を行うよう動作することを特徴とする装置。
【請求項４】
請求項２記載の装置であって、前記適合装置は、2次情報信号を何ら埋め込まないものとする前記チャネル・データ・ストリームの位置で前記DC制御のランダムな選択又は非最適選択を行うよう動作することを特徴とする装置。
【請求項５】
請求項１記載の装置であって、前記適合装置は、状態スワップを行うか、又は前記１次情報信号を符号化するための主テーブル若しくは置換テーブルを選択するよう前記符号器を制御することによって前記チャネル・データ・ストリームの種々の位置で前記DC制御のランダムな選択又は非最適選択を行うよう動作可能であることを特徴とする装置。
【請求項６】
請求項１記載の装置であって、前記チャネル・データ・ストリーム内に前記２次情報信号の位置を規定する位置情報を記憶する記憶装置を更に備えることを特徴とする装置。
【請求項７】
請求項６記載の装置であって、前記２次情報信号埋め込み装置を、種々の符号語内及び/又は種々のデータ・フレーム内の種々の位置に2次情報データを埋め込むよう適合させることを特徴とする装置。
【請求項８】
請求項６記載の装置であって、前記記憶装置を、前記位置情報をルックアップ・テーブルに記憶させるよう適合させることを特徴とする装置。
【請求項９】
請求項６記載の装置であって、前記記憶装置を、前記１次情報信号、又は前記チャネル・データ・ストリームに埋め込む対象の第３の情報信号に符号化形式で前記位置情報を記憶するよう適合させることを特徴とする装置。
【請求項１０】
請求項８記載の装置であって、所定の設定、又は前記１次情報信号若しくは第３の情報信号から読み取られる情報に基づいて前記位置情報を判定する位置情報判定装置を更に備えることを特徴とする装置。
【請求項１１】
符号化された1次情報信号のチャネル・データ・ストリーム内に2次情報信号を埋め込む方法であって、
前記１次情報信号をチャネル・データ・ストリーム内に符号化する工程と、
前記チャネル・データ・ストリームのDCコンテンツを制御する工程と、
DC制御における自由度を用いることによって前記チャネル・データ・ストリームに前記2次情報信号を埋め込む工程と、
前記チャネル・データ・ストリームのいくつかの位置で前記DC制御の非最適選択、任意の選択又はランダムな選択を行うことによって前記DC制御を適合させる工程とを備えることを特徴とする方法。
【請求項１２】
符号化された1次情報信号のチャネル・データ・ストリームから2次情報信号を抽出する装置であって、
前記チャネル・データ・ストリームを1次情報信号内に復号化する復号器と、
前記チャネル・データ・ストリーム内の前記2次情報信号の位置を規定する位置情報を用いることによって前記チャネル・データ・ストリーム内のDC制御情報を検出することによって前記チャネル・データ・ストリームから前記2次情報信号を抽出する2次情報信号抽出装置とを備えることを特徴とする装置。
【請求項１３】
請求項１２記載の装置であって、前記位置情報を記憶する記憶装置を更に備えることを特徴とする装置。
【請求項１４】
請求項１２記載の装置であって、前記チャネル・データ・ストリームから前記位置情報を取り出す位置情報復号器を更に備えることを特徴とする装置。
【請求項１５】
請求項１４記載の装置であって、位置情報復号器を、前記チャネル・デ―タ・ストリームからの前記位置情報を搬送する第３の情報信号を復号化するよう、又は、前記1次情報信号からの前記情報信号を復号化するよう適合させることを特徴とする装置。
【請求項１６】
符号化された1次情報信号のチャネル・データ・ストリームから2次情報信号を抽出する方法であって、
前記チャネル・データ・ストリームを1次情報信号内に復号化する工程と、
前記チャネル・データ・ストリーム内の前記2次情報信号の位置を規定する位置情報の使用による前記チャネル・データ・ストリーム内のDC制御情報の検出によって前記チャネル・データ・ストリームから前記２次情報信号を抽出する工程とを備えることを特徴とする方法。
【請求項１７】
コンピュータ・プログラムであって、請求項１１又は１６に記載の方法の工程をコンピュータ・プログラムがコンピュータ上で実行されるとコンピュータに行わせるプログラム・コード手段を備えることを特徴とするコンピュータ・プログラム。
【請求項１８】
符号化された1次情報信号のチャネル・データ・ストリーム内に2次情報信号を備える記録担体であって、２次情報が、DC制御における自由度を用いることによって、かつ、前記チャネル・データ・ストリームのいくつかの位置で前記DC制御の非最適選択、任意の選択、又はランダムな選択を行うことによって前記DC制御を適合させることによって前記チャネル・データ・ストリームに埋め込まれることを特徴とする記録担体。
【発明の詳細な説明】
【技術分野】
【０００１】
本発明は、符号化された１次情報信号のチャネル・データ・ストリームに2次情報信号を埋め込む方法及び相当する装置に関する。更に、本発明は、チャネル・データ・ストリーム内の2次情報信号を抽出する装置及び相当する方法に関し、上記方法をコンピュータ上に移植するコンピュータ・プログラムに関し、2次情報信号を備える記録担体に関する。
【背景技術】
【０００２】
国際公開第02/15185（PHNL000451）号明細書には、1次情報のRLL符号内に2次情報信号を符号化し、復号化する方法が記載されている。2次情報信号は所定の位置での絶対極性において記憶される。この極性は、DC制御ビットの選択において存在する自由度を用いて設定される。
【０００３】
2次情報信号は、低ビットレート・チャネルであり、例えば、コンテンツの復号鍵を1次情報信号内に記憶するのに用いることが可能である。鍵容量は通常、128-512ビット以上である。この鍵は通常、コンテンツをアクセスするためのマスタ鍵であるため、鍵の取り出しが非常にロバストであることが重要である。2次情報信号は、手法が知られることになってもリバース・エンジニアリングによって鍵を抽出することが難しいように隠されるべきである。
【０００４】
符号化された1次情報信号は通常、いわゆるフレームの周期的パターンを有する。フレームは、いくつかの符号語が後続する同期パターンを有する。フレーム内では、符号化ビット・ストリーム内のDCコンテンツの最小化についてある程度の自由度がある。例えば、(i)CD形式内では、いわゆるEFM同期があり、３３個の符号語がこれに続く。同期及び全ての符号語には、3ビットのマージ・ビット・パターンが続く。マージ・ビット・パターンには４つの選択肢が考えられる。マージ・ビット・パターンは、ランレングス違反が何ら起こらず、ディジタル和値（DSV）が最小にされるようにすべきである。ランレングス制約を満たし、反対のパリティ（遷移数）を有する3つ以上のマージ・ビット・パターンが考えられる場合、マージ・ビット・パターンの選択を用いてDSVを最小にすることが可能である。ケースの一部では、このことは、選択がDSV最小化について最適とは言えないことを犠牲にすることになる。
(ii)DVD形式内では、データ・ストリーム（又はビット・ストリーム若しくはチャネル・ビット・ストリーム）は同期フレームに編成される。各同期フレームは同期パターンに始まり、91個の符号語が続く。同期パターン毎に、反対の極性を備えた２つの代替策、すなわち1次同期及び2次同期が存在する。データ・バイトは符号語に変換され、そこではいくつかの変換テーブルが使用される。使用される変換テーブルは、先行符号語によって変わってくるが、ケースの一部ではある程度の自由度もある。この自由度と、同期の選択との組み合わせによってDSV最小化が可能になる。
(iii)ブルーレイ・ディスク形式内では、データ・ストリームは記録フレームに編成される。記録フレームは、（20チャネル・ビット長の）フレーム同期と、それに続く1240データ・ビットとを有する。同期ビット及びデータ・ビットは、28の45ビット単位にグルーピングされる。各グループには、DC制御ビット（合計２８ビット）が続き、これは、チャネル・ビット・ストリームのDSV最小化に自由に用いることが可能である。
【０００５】
既知のシステムでは、2次情報信号のビットが固定位置で、例えば、CD形式で、EFM同期からの固定オフセットで、又はEFM同期に続く固定数の遷移後に記憶される。又、DSV制御の自由度を用いて極性を所望の値に至らせる、データ・ストリーム内の位置は固定である（例えば、CD形式でのEFM同期パターンに先行するマージ・ビット・パターン）。このことは、とりわけ、以下の欠点を有する。
【０００６】
容量が十分に大きなチャネル・データ・ストリームが利用可能なものとして存在する場合、DC制御アルゴリズムをこのストリームから推論することが可能である。2次情報信号を有するチャネル・データ・ストリームでは、自由度を用いてビット極性を制御する、同期フレーム内（又は記録フレーム内若しくはEFMフレーム内）の位置が分かることになり得る。この位置では、ケースの一部で（通常５０％で）、最適とは言えない選択がDC制御について行われる。この位置は一般に、2次情報信号ビットが記憶される位置とは同じでないが、この位置を知ることによって秘密の一部が既に明らかになる。2次情報がチャネル・データ・ストリームの一部のみに（例えば、制御データ・セクタのみに）埋め込まれる場合、2次情報信号領域の位置は、DC制御符号化統計の解析後に分かることになり得る。
【０００７】
更に、2次情報信号が固定位置に記憶される場合、これは符号語内の好ましくない位置にあり得る。信頼度の高い検出を拡充するために、DCビットは好ましくは、変調ストリーム内の位置に記憶され、それは極性遷移からかなり離れている（ので、ビットスリップが2次情報信号の数量に影響を及ぼさない）ものであり、（最短ランレングスの低変調が理由で）最短ランレングス内にない。例えば、DVDに用いる8-16変調ストリーム内の好ましい位置は、４T以上のランレングス内にあり、遷移から少なくとも１チャネル・ビット長分、離れている。
【発明の開示】
【発明が解決しようとする課題】
【０００８】
本発明の目的は、認可されていない個人又は装置が2次情報信号の記憶の位置、又はそれ自体のそのコンテンツを取り出すことをより困難にする、符号化された１次情報信号のチャネル・データ・ストリームに2次情報信号を埋め込む装置及び方法を提供することである。
【課題を解決するための手段】
【０００９】
この目的は、本発明によって、
上記１次情報信号をチャネル・データ・ストリームに符号化する符号器と、
上記チャネル・データ・ストリームのDCコンテンツを制御する制御装置と、
DC制御における自由度を用いることによってチャネル・データ・ストリーム内に上記２次情報信号を埋め込む2次情報信号埋め込み装置と、
上記チャネル・データ・ストリームのいくつかの位置でDC制御の非最適な、任意の、又はランダムな選択を行うことによってDC制御を適合させる適合装置とを備える請求項１記載の装置によって達成される。
【００１０】
相当する方法を請求項１１に記載する。本発明は、請求項１２及び１６のそれぞれに記載の抽出装置及び抽出方法に更に関し、請求項１７記載の上記方法を実施するコンピュータ・プログラムに関し、請求項１８記載の2次情報信号を備えた記録担体に関する。本発明の好ましい実施例は、従属項に記載する。
【００１１】
本発明は、2次情報信号領域の位置が隠されるようにチャネル・データ・ストリーム内の2次情報の位置と固定の関係を有しない、DC制御の適合を提供するための考え方に基づくものである。よって、ユーザは、2次情報がチャネル・データ・ストリーム内に記憶されている場所を見つけるのがずっと困難になるので、DC制御アルゴリズム、又は2次情報自体を取り出すことが可能でない。チャネル・データ・ストリームのいくつかの位置でのDC制御の非最適な、任意の、又はランダムな選択を行うことによって、準拠性を有していない復号器は、実際の2次情報と、何れの2次情報も表さない上記非最適な、任意の、又はランダムな選択との間で区別することが可能でない。
【００１２】
好ましい実施例では、DC制御においてランダムな要素を追加することを提案する。ランダムな要素を、DC制御アルゴリズムに以下の好ましいやり方で挿入することが可能である。
【００１３】
（通常少ない）数のケースと、ランダムな、又は固定の位置では、DC制御アルゴリズムは、非最適な選択になる。このようにして、DC制御における自由度を用いて2次情報信号を符号化する位置は、アルゴリズムに対して統計解析を行うことによって追跡することが可能でない。
【００１４】
2次情報、例えばチャネル鍵を有していないチャネル・データ・ストリームの部分では、ランダムなビット・パターンを、2次情報信号を埋め込む1次信号符号器内に挿入することが可能である。このようにして、DC制御ストラテジは、有効な2次情報信号データの存在にかかわらず、データ・ストリーム全体で同じ状態に留まり、符号器統計の解析は、2次情報信号データの位置を明らかにするものでない。
【００１５】
更なる実施例では、種々の位置での自由度を用いて2次情報信号を符号化することを提案している。DVDでは、DC制御は、
i)1次同期又は２次同期の選択（同期パターンは反対の極性を有し、何れの選択も可能である。よって、これは、保証された極性制御方法である。）と、
ii)データ・シンボル0-87に対する主変換テーブル又は置換テーブルの選択と、
iii)状態スワップ（次の状態が状態１又は状態４の場合、これらの状態の何れかを、ランレングス制約が維持される限り用いることが可能である。）とによって行われる。
【００１６】
１つのDC制御位置（通常、同期パターン）を選んで2次情報信号ビットの極性を制御するかわりに、この実施例では更なる位置を用いることを提案している。特に、状態スワップ、及び/又は主テーブル又は置換テーブルの選択を、2次情報信号の符号化に、1次同期又は2次同期を用いることに加えて用いる。
【００１７】
BDでは、DC制御は、変調ビット・ストリームのDSVが最小にされるような値に、データ・ストリーム内のDC制御ビットを設定することによって行う。１つのDC制御ビットを用いて2次情報信号ビットの極性を制御するかわりに、この実施例では更なる位置を用いることを提案している。
【００１８】
更なる実施例では、請求項６乃至１０に記載するように、上記チャネル・データ・ストリーム内の2次情報信号の位置を規定する位置情報が記憶される。この位置情報は、あらかじめ定められ、符号化側でも復号化側でも記憶される固定情報であり得る。しかし、これは又、2次情報信号をチャネル・データ・ストリームに埋め込む場合に「その場で」選択することも可能であるが、例として、別個の、又は埋め込まれた情報としてチャネル・データ・ストリームとともにいずれにせよ復号化側に例えば１次情報信号内又は第３の情報信号内に備えられた符号化形式で次いで送信しなければならない。
【００１９】
位置情報によって、位置が各符号語内及び/又は各データ・フレーム内で異なり得る、同期フレーム、サブ符号フレームや記録フレームなどの種々の符号語内及び/又はデータ・フレーム内の位置を規定することが可能である。
【００２０】
請求項６乃至１０に記載の位置情報を記憶するという考えは、請求項１乃至５に記載の上記チャネル・データ・ストリームのいくつかの位置でDC制御の非最適選択、任意の選択、又はランダムな選択を行うという考えとは別個に適用することも可能である。すなわち、位置情報を用いて、2次情報を見つけることが可能な、チャネル・データ・ストリーム内の位置を示すという考えも、例えば国際公開第02/15185号明細書記載の、1次データ・ストリームのチャネル・データ・ストリーム内に2次情報を埋め込む他の方法とともに用いることも可能である。
【００２１】
一般に可能性は２つ存在する。すなわち、極性が制御される位置がランダムに変えられるか、又は、極性が検出される位置がランダムに変えられる。後者の場合にのみ、復号器が位置を知っていることが必要である。位置は、事前に合意され、よって、符号器及び復号器の記憶装置に記憶され得るか、あるいは、位置は、何れかのやり方でデータ・ストリーム内に、例えば、ディスク上に埋め込まれるか、あるいは、復号器に別個に送信される。
【発明を実施するための最良の形態】
【００２２】
本発明を次に更に詳細に、添付図面を参照して説明する。
【実施例】
【００２３】
図１は、本発明を略示する構成図を示す。1次情報信号、例えばオーディオ・データやビデオ・データなどのユーザ・データがチャネルへの出力のために、例えば、記録担体上での記憶のために、又は、インターネットなどの伝送チャネルを介した伝送のために、チャネル・データ・ストリーム内にそれによって符号化される符号器１を示す。2次情報信号をこのチャネル・データへ埋め込むために、例えば、非準拠ドライブによって容易に検出可能でないことを要する、1次情報信号内への、隠れた秘密鍵の埋め込みのために、2次情報信号埋め込み装置２を設ける。この装置２は、2次情報信号をDC制御装置３に供給し、このDC制御装置は、DC制御において存在する自由度を用いることによって埋め込みを実際に設ける。例えば、国際公開第02/15185号明細書に記載されているように、2次情報信号は所定の位置での絶対極性において記憶され、この極性は、DC制御ビットの選択において存在する自由度を用いて設定される。
【００２４】
2次情報がチャネル・データ・ストリームに記憶されることと、場合によっては、2次情報自体が検出されることとを避けるために、DC制御適合装置４を、本発明によって設ける。この装置４は、DC制御の非最適な選択、ランダムな選択又は任意の選択をチャネル・データ・ストリームのいくつかの位置で確実に行うことによってDC制御装置３を制御するよう動作する。これによって、実際の2次情報信号の記憶位置及び任意情報又はランダム情報の記憶位置を非準拠装置が検出することがより困難になる。
【００２５】
更に、2次情報がチャネル・データ・ストリームに埋め込まれる位置を規定する位置情報が記憶される記憶装置７が一般に設けられる。この位置情報は、あらかじめ定められ、固定のものであり、よって、DC制御の非最適な選択、ランダムな選択又は任意の選択を行うことが可能である位置をよって知っている埋め込み装置２に対する入力情報として用いられるか、又は符号化中に判定され、その後、記憶装置７に記憶される。
【００２６】
第１のケースでは、復号器は又、固定位置情報を事前に知っている一方、第２のケースでは、復号器には、ランダムな情報又は任意の情報を真の２次情報と復号器が区別することを可能にするために、例えば、チャネル・データ・ストリームの一部として、又はそれとは別個にこの位置情報を送信することによって、選択された位置について通知しなければならない。
【００２７】
図２に略示する符号器の第１の実施例では、ランダムなエレメントがDC制御アルゴリズムに挿入される。この特定の実施例では、秘密鍵を、1次情報信号データ語を備えるチャネル・ビット・ストリーム内に2次情報として記憶されるものとする。スイッチ５によって、相当するプロセッサ６によって生成される2次情報信号データ、又は、任意の情報、例えばランダムなビット・パターンが符号器１に供給される。特に、2次情報データを有していないチャネル・データ・ストリーム部分では、ランダムなビットが1次情報信号に挿入される。DC制御アルゴリズムは、有効な2次情報信号データの存在又はランダムなビットの存在にかかわらず、データ・ストリーム全体について同じ状態に留まる。よって、符号器統計の解析によってチャネル・データ・ストリーム内の2次情報信号デ―タの位置を見つけることは可能でないか、又は、非常に困難である。
【００２８】
DVDにおいて主に用い、図３及び図4に示す実施例では、２つのデータ・ストリームが以下のやり方で符号化される。
【００２９】
2次情報信号ビットは符号語N内にあるものとする（図３）。更に、符号語Nまでの２つのストリームが、１つは1次同期によって符号化され、１つは2次同期によって符号化される（図４の工程S1‐S4）。更に、工程S５で検査される３つの別々のオプションが存在する。
【００３０】
a.ビット位置で２つのストリームが反対の極性を有する場合、適切なストリームを選んで2次情報信号ビット値（S7）を符号化する。
【００３１】
b.2次情報信号ビットを符号化することが意図された値に等しい同じ極性を何れのストリームも有する場合、DSV（ディジタル和値）が最低のストリームが選ばれる（S６）。
【００３２】
c.2次情報信号ビットを符号化することが意図された値とは反対の同じ極性を何れのストリームも有する場合、符号語Nで行われるDSV選択（前述のII（主置換テーブル））又はIII（状態スワップ））は何れのストリームでも逆にされる（S8）。それが所望の効果を有しないか、又は選択を逆にすることが可能でない場合、同じことが符号語N−１について行われる、等である。最終的には、DSVが最低のストリームが選ばれる。このことは絶対に必要な訳でない。
【００３３】
このことは、この選択で、DC制御選択を、符号語Mの両方のストリームについて逆にすることが可能であり、Mは、処理中に工程S8を通る回数によって、N−１、N−２、N−３等を意味する。Mは、0からN−１までの符号語全てについてランダムに選ぶことも可能である。更に、CD制御選択を逆にすべき符号語をランダム化することも可能である。2次情報信号は、この実施例では、同期の選択によって常に保証される。DC制御アルゴリズムは疑似ランダム位置でその最適選択から逸脱し、その結果、2次チャネル位置を符号化統計から抽出することがより難しい。0までの語N−１全てを試行することが可能であるが、全ての選択が、意図された極性につながらない場合、極性の反転を保証する同期選択が常に存在する。
【００３４】
既知のシステムでは、2次情報信号が固定位置に記憶され、DCビットが好ましくは、極性遷移からかなり離れており、最短ランレングス内にない、変調ストリーム内の位置に記憶される。例えば、図５の図に示すように、DVDにおいて用いる8‐16変調ストリーム内の好ましい位置は、ランレングス4T内にあり、遷移から少なくとも１チャネル・ビット長分離れている、すなわち、好ましい位置を図５に矢印で示す。
【００３５】
この課題を解決するために、前述の実施例とは別個にかつ無関係に適用することが可能な更なる実施例では、2次情報信号ビット位置は固定でないが、符号語毎又はいくつかの符号語毎に別個に規定される。この規定は、符号器でも復号器でも知られている。例えば、DVDについて図６に示すように、符号語（主テーブル内及び置換テーブル内の状態１乃至状態４）毎に、2次情報信号チャネル・ビットが規定される。ビット位置は必ずしも、最も近い遷移までの最大距離による最適な位置で選ばなくてよい。各状態における符号語毎に、かつ主テーブル及び置換テーブルについて、2次情報信号ビット位置が規定される。
【００３６】
リバース・エンジニアリングを更に複雑にし、2次情報信号の極性とそのコンテンツとの間の関係を薄めるために、テーブルを用いてフレーム番号（例えば、ブルーレイ・ディスク内の記録フレーム、DVD内の同期フレーム、CD内のEFMフレーム）、及び2次情報信号ビットを有するそのフレーム内の符号語を用いることが可能である。
【００３７】
符号語内では、ビット位置を固定にすることが可能であり、又は、前述し、図６に示すように規定することが可能である。ゼロ、１又は複数の情報信号ビットをフレーム内に隠すことが可能である。テーブルの規定は、符号器でも復号器でも知られている。図７及び図８では、例えば、2次チャネル・ビットをDVDディスクとブルーレイ・ディスクとのそれぞれについて隠すことが可能な方法を示す。
【００３８】
図７に示すDVDの実施例では、各同期フレームは同期パターンから始まり、91個の１６チャネル・ビット符号語が続く。この例では、テーブルは図7aに示すように見えるものであり、同期フレームは図７ｂに示す。同期フレームは全て、ちょうど１つの2次情報信号ビットを有する。
【００３９】
図８に示すブルーレイ・ディスクの実施例では、各記録フレームは同期パターンから始まる。28個の45データ・ビット群のそれぞれには、DC制御ビットが続く。この例では、テーブルは図8aに示すように見えるものであり、記録フレームは図8ｂに示す。記録フレームは全て、ちょうど１つの2次情報信号ビットを有する。
【００４０】
図9に示すCDの実施例では、各サブ符号フレームは同期パターンから始まり、33個の14チャネル・ビット符号語が続く。同期パターン及び全ての符号語には、3チャネル・ビットのマージ・ビット・パターンが続く。この例では、テーブルは図9aに示すように見えるものであり、サブ符号フレームは図9ｂに示す。サブ符号フレームは全て、ちょうど１つの2次情報信号ビットを有する。
【００４１】
図7a、図8a、図9aに示すテーブル内のフレーム番号は、ディスク上の特定の固定位置に対して（例えば、DVDの場合、セクタ２F200hにある制御データの最初に対して）相対的であり得るか、又は、ECCブロック（DVDでは、ECCブロック内に416個の同期フレームがある。）内、ECCクラスタ（ブルーレイ・ディスクでは、496個のECCクラスタ行が496個の記録フレームにおいて変換される。）内、若しくはサブ符号フレーム（CDでは、サブ符号フレームは、98個のEFMフレームを有する。）内のフレーム番号であり得る。
【００４２】
位置情報、すなわち、記憶装置（図１中の７）において記憶されている符号語、データ・フレーム、並びに/又は、符号語内及び/若しくはデータ・フレーム内の位置の情報は、復号器に送信されるか、又は、固定され又復号器に記憶されるように符号器と復号器との間で事前に合意される。
【００４３】
本発明による復号器の実施例を、図１０に構成図として略示する。この実施例では、上記チャネル・データ・ストリームを1次情報信号内に復号化する復号器１０は、チャネル・データ・ストリーム内のDC制御情報の検出によってチャネル・データ・ストリームから2次情報信号を抽出する2次情報信号抽出装置１１を有し、かつ、好ましくは、符号器の記憶装置に記憶された位置情報に相当するチャネル・データ・ストリーム内の2次情報信号の位置を規定する位置情報を記憶する記憶装置１２を有する。
【００４４】
国際公開第０２１５１８５号明細書記載の方法、並びに前述の方法では、DC制御は、2次チャネル・ビットを適切な値に設定するよう局所で犠牲にされる。上記方法では、2次チャネル・ビットを符号化するよう特定値に設定される、データ・ビット・ストリーム内のDC制御ビットは、例えば、50%のケースでは、変調ビット・ストリームにおけるディジタル和値の最小化の非最適選択となる。国際公開第0215185号明細書記載の方法では、2次チャネル・ビットの位置は、極性が制御される位置から非干渉化させる。例えば、チャネル・ビット位置Nは、チャネル・ビット位置N+Mでの極性を制御するよう特定値に設定される。
【００４５】
国際公開第0215185号明細書記載の方法の実用的な実施例では、極性制御がフレーム同期（BDにおける記録フレーム、DVDにおける同期フレーム、CDにおけるEFMフレーム）に対して固定の位置で行われ、2次チャネル・ビットの検出が、同期に対して同じか、又は別の固定位置で行われる。これには2つの欠点がある。
【００４６】
a)符号化信号の統計解析によって、極性符号化が行われる位置が明らかになる。（それはここでは、例えば、５０％の場合に非最適選択になるからである。）これは2次チャネル・ビットを直接明らかにするものでないが、いずれにせよ、2次信号の存在の有力なヒントである。
【００４７】
b)2次チャネル・ビットの位置の選択に応じて、同期に対する固定のビット位置によって、場合によっては2次チャネル・ビットが、短いランレングスの一部であるか、又は、ランレングスの第１のチャネル・ビット（若しくはその２つの組み合わせ）になる。それぞれの場合に、2次チャネル・ビットの検出のロバスト性が減少することになる。
【００４８】
本発明の前述の方法の実用的な実施例は、固定のDC制御ビットを記録フレーム内で選んで2次チャネルを符号化するものである。これは以下の欠点を有し得る。
【００４９】
c.符号化信号の統計解析によって、2次チャネル・ビット位置が明らかになる。
【００５０】
d.2次チャネルがNRZIチャネルではなくデータ・ビット・ストリームに記憶されるので、よりセキュアでない。復号化中に、NRZIチャネル・ビット・ストリームが変調ビット・ストリームに変換され（ここでは、極性情報が失われ）、次いで１７PPがデータ・ビット・ストリームに復号化される。その後、DC制御ビットが廃棄される。この最後の工程を修正することによって、2次信号ビットを明らかにすることが可能である。
【００５１】
前述したこうした課題（課題a)乃至c））の大半を解決する解決策は、ルックアップ・テーブルを用いて変調符号語内又はフレーム内の位置を記憶することである（図６乃至図９参照。）。しかし、これは、復号器がテーブルを事前に知っていなければならないという問題を有している。一般には位置情報と呼ばれるルックアップ・テーブル情報を符号器から復号器に転送する方法の特定の実施例は、課題ｄ）に対する解決策を提供することが可能であるが、それは、テーブル情報を変調ビット・ストリーム内に記憶することが可能であるからである。
【００５２】
図11及び図１２は、1次チャネル又は第３のチャネルであり得る別のサイド・チャネルを用いて2次チャネル・ビットの位置がそれによって符号化される符号器及び相当する復号器の実施例を示す。符号化中、このサイド・チャネルにおける値Nを特定の（所定の）値に設定して2次チャネル・ビット位置Bに至らせる。あるいは、符号器、特に、その位置情報判定装置８は、「現状」値を得て、例えば、1次チャネルから読み取って、符号器１を用いてこのサイド・チャネルの値から得られた位置で2次チャネル・ビットを符号化することが可能である。変換器９を用いることによって、サイド・チャネルから取り出される値Nが、所定の関数B＝f(N)を用いてビット位置Bに変換される。
【００５３】
復号化中、図１２に示すように、1次チャネル復号器１５を用いて1次情報信号を復号化する以外に、サイド・チャネルの値Nは位置情報復号器１３によって評価され、変換器１４によってBに変換される。この値Bを用いて、2次チャネルのビット位置をサーチし、2次チャネル復号器１１を用いてチャネル・データ・ストリームから2次情報信号を復号化する。
【００５４】
このサイド・チャネル内の値Nが、2次チャネル・ビットが符号化されるフレームと同じフレーム内、先行フレーム内、又は別の位置で読み出される。
【００５５】
サイド・チャネル内に符号化される2次チャネル・ビット位置は、例えば、
a)フレーム同期（CD、DVD、BD）に対するビット位置、
b)変調語内の固定ビット位置での変調語（CD、DVD）の検出、
c)フレーム内の固定位置での特定の変調語内のビット位置、
d)記録フレーム（BD）内のDC制御ビットであり得る。
【００５６】
2次チャネル・ビットは、例えば、
a)特定ビット位置の極性、
b)DC制御ビットの値、
c)特定データ・ビット位置の値、
d)特定の変調語又はデータ・バイトの値として符号化することが可能である。
【００５７】
位置情報の使用の例を図１３のグラフに示す。それぞれは、2次チャネル・ビット２２を記憶するためのいくつかの可能性２０を有する。この例によれば、フレームNに埋め込まれた2次チャネル・ビットの位置情報２１は、先行フレームN−1に記憶される。
【図面の簡単な説明】
【００５８】
【図１】本発明による符号器の構成図である。
【図２】本発明の実施例の構成図である。
【図３】本発明の第２の実施例を示す図である。
【図４】第２の実施例の流れ図である。
【図５】チャネル・データ・ストリームに2次情報を埋め込むための好ましい位置を示す図である。
【図６】DVDに用いるための、本発明の更なる実施例を示す図である。
【図７】7aは、DVDに用いるための、本発明の更なる実施例を示す図である。７bは、DVDに用いるための、本発明の更なる実施例を示す図である。
【図８】8aは、BDに用いるための、本発明の更なる実施例を示す図である。８bは、BDに用いるための、本発明の更なる実施例を示す図である。
【図９】9aは、CDに用いるための、本発明の更なる実施例を示す図である。９bは、CDに用いるための、本発明の更なる実施例を示す図である。
【図１０】本発明による復号器の第１の実施例の構成図である。
【図１１】本発明による符号器の別の実施例の構成図である。
【図１２】本発明による相当する復号器の実施例の構成図である。
【図１３】本発明による位置情報の使用を示す図である。
【図１】
2007519150.tif 000003
【図２】
2007519150.tif 000004
【図３】
2007519150.tif 000005
【図４】
2007519150.tif 000006
【図５】
2007519150.tif 000007
【図６】
2007519150.tif 000008
【図７】
2007519150.tif 000009
【図８】
2007519150.tif 000010
【図９】
2007519150.tif 000011
【図１０】
2007519150.tif 000012
【図１１】
2007519150.tif 000013
【図１２】
2007519150.tif 000014
【図１３】
2007519150.tif 000015
【国際調査報告】
2007519150.tif 000016
2007519150.tif 000017